(57)【要約】  【課題】  ステープル処理機能付きの記録処理を行っている間に中断指示を行った場合、ステープル処理は停止するが、記録処理は継続することにより、記録画像を早く確認したい等のユーザの要望を満たしてユーザの使い勝手を良くする記録装置を提供する。  【解決手段】  ステープル処理機能付きの記録処理が記録部３で行われている間に、ユーザがストップキー５ｂを押して中断指示を行った場合、ステープル処理は停止されるが、画像データに応じた画像の記録処理は停止されることなく最後まで継続される。ユーザから中断が指示された時点で、ステープル綴じ用に溜められていた記録済の用紙を外部へ排出する。その後、残りの画像データに応じた画像の記録処理では記録済の用紙を一枚ずつ外部へ排出する。【選択図】      図１
2005066932.tif 000002
【特許請求の範囲】
【請求項１】
画像を記録した複数の用紙に対してステープル処理を施せる記録装置において、ステープル処理が設定されて記録処理が行われている際に、ステープル処理停止の指示を受け付ける受付手段と、該受付手段にてステープル処理停止の指示を受け付けた場合に、ステープル処理を停止させて記録処理を継続させる手段とを備えることを特徴とする記録装置。
【請求項２】
前記受付手段にてステープル処理停止の指示を受け付けた場合に、ステープル処理を果たすべく溜めてある記録済の用紙を排出する排出手段を更に備えることを特徴とする請求項１記載の記録装置。
【請求項３】
前記排出手段は、前記溜めてある記録済の用紙を排出した後は、記録済の用紙を一枚ずつ排出するようにしてあることを特徴とする請求項２記載の記録装置。
【発明の詳細な説明】
【技術分野】
【０００１】
本発明は、ステープル処理機能付きの記録装置に関する。
【背景技術】
【０００２】
画像データに応じた画像が記録された複数枚の用紙の一側端における所定の一箇所または複数箇所に、ステープラを用いてステープル綴じする機能、つまりステープル処理機能を備えた記録装置が種々提案されている（例えば、特許文献１乃至３参照）。このような記録装置においてステープル処理機能がユーザによって選択されている場合、ステープル綴じ対象の記録済の用紙が一旦ステープル処理トレイに蓄積され、ステープラによってこれらの複数の記録済の用紙がステープル綴じされ、綴じられた記録済の用紙束が外部トレイへ排出される。このようなステープル処理機能は、自動的にステープル綴じを行えるので、ユーザにとって便利な機能である。
【特許文献１】特開２００２−１０８１３９号公報
【特許文献２】特開平１１−７９５３７号公報
【特許文献３】特開２００１−２５３６２５号公報
【発明の開示】
【発明が解決しようとする課題】
【０００３】
従来の記録装置では、ステープル処理機能を果たしながら受信した画像データに応じた画像の記録処理を実行している間にステープル処理機能の中断を受け付けることができないため、受信した画像データの最後までステープル処理機能は停止されない。よって、ユーザが途中でステープル処理を停止させて、受信した最初の部分の画像データに応じた画像が記録された用紙を確認しようとしても、最後の画像データによる記録処理が完了してステープル綴じが終了するまで、待機していなければならず、使い勝手が悪いという問題がある。
【０００４】
本発明は斯かる事情に鑑みてなされたものであり、ステープル処理機能付きの記録処理を行っている最中に中断指示を行った場合、ステープル処理は停止されるが、記録処理は継続されるようにすることにより、記録画像を早く確認したい等のユーザの要望を満たしてユーザの使い勝手を向上できる記録装置を提供することを目的とする。
【課題を解決するための手段】
【０００５】
請求項１に係る記録装置は、画像を記録した複数の用紙に対してステープル処理を施せる記録装置において、ステープル処理が設定されて記録処理が行われている際に、ステープル処理停止の指示を受け付ける受付手段と、該受付手段にてステープル処理停止の指示を受け付けた場合に、ステープル処理を停止させて記録処理を継続させる手段とを備えることを特徴とする。
【０００６】
請求項１にあっては、ステープル処理機能付きの記録処理が行われている間に、ユーザが中断指示を行った場合、ステープル処理は停止されるが、画像データに応じた画像の記録処理は停止されることなく最後まで継続される。よって、ステープル処理機能を中断したいというユーザの希望が満たされると共に、最後まで画像データに応じた画像は記録されるため、受信した画像データが消滅するような不都合もない。
【０００７】
請求項２に係る記録装置は、請求項１において、前記受付手段にてステープル処理停止の指示を受け付けた場合に、ステープル処理を果たすべく溜めてある記録済の用紙を排出する排出手段を更に備えることを特徴とする。
【０００８】
請求項２にあっては、ステープル処理機能付きの記録処理が行われている間にユーザから中断が指示された時点で、ステープル綴じ用に溜められている記録済の用紙を排出する。よって、ユーザは、ステープル処理の完了を待つことなく、即座に記録済の用紙の内容を見ることができる。
【０００９】
請求項３に係る記録装置は、請求項２において、前記排出手段は、前記溜めてある記録済の用紙を排出した後は、記録済の用紙を一枚ずつ排出するようにしてあることを特徴とする。
【００１０】
請求項３にあっては、ユーザから中断の指示を受けて溜められている記録済の用紙を排出した後は、画像データに応じた画像の記録処理を行って記録済の用紙を一枚ずつ排出する。よって、ステープル処理機能を果たさない通常の記録処理を行える。
【発明の効果】
【００１１】
本発明では、ステープル処理機能のみを停止させて画像データに応じた画像の記録処理は最後まで継続するようにしたので、ステープル処理機能を中断したいというユーザの希望を満たすことができ、また、最後まで画像データに応じた画像を記録できて受信した画像データが消滅するような不都合も起こり得ない。
【００１２】
また、本発明では、中断が指示された時点でステープル綴じ用に溜められている記録済の用紙を排出するようにしたので。ユーザは、ステープル処理の完了を待たずに記録済の用紙の内容を見ることができて、使い勝手を向上することができる。
【００１３】
更に、本発明では、溜められている記録済の用紙を全て排出した後は、画像データに応じた画像の記録処理を行って記録済の用紙を一枚ずつ排出するようにしたので。ステープル処理機能を果たさない通常の記録処理を行うことができる。
【発明を実施するための最良の形態】
【００１４】
以下、本発明をその実施の形態を示す図面を参照して具体的に説明する。図１は、本発明の記録装置としてのファクシミリ複合装置２０の構成を示すブロック図である。
【００１５】
ファクシミリ複合装置２０は、制御部１，読取部２，記録部３，表示部４，操作部５，符号化・復号化部６，ＲＯＭ７，ＲＡＭ８，画像メモリ９，モデム１０，ＮＣＵ（Network Control Unit）１１，ＰＣインタフェース部１２などを備えている。ファクシミリ複合装置２０は、読取部２にて原稿を読み取って画像データを得る読取機能、読み取った画像データ、ファクシミリ通信により受信した画像データ、またはＰＣインタフェース部１２を介してＰＣから受信した画像データに応じた画像を記録部３にて記録する記録機能、及び、読み取った画像データまたは受信した画像データをファクシミリ送信する送信機能を併せ持っている。
【００１６】
制御部１は、具体的にはＣＰＵで構成されており、バス１３を介してファクシミリ複合装置２０の上述したようなハードウェア各部と接続されていて、それらを制御すると共に、ＲＯＭ７に格納された制御プログラムに従って、種々のソフトウェア的機能を実行する。読取部２は、例えばＣＣＤを利用したスキャナで原稿を読み取り、読み取った画像データを出力する。
【００１７】
記録部３は、電子写真方式のプリンタ装置であって、読取部２にて読み取った原稿の画像データ、ファクシミリ通信により受信した画像データ、外部のＰＣから送られてきた画像データなどに応じた画像を用紙にプリントアウトする。図２は、記録部３の構成を示す概略図である。記録部３は、給紙カセット３１，画像形成ユニット３２，定着器３３，外部トレイ３４，ステープル処理トレイ３５，ステープラ３６などを備えている。給紙カセット３１は、画像が記録される用紙を収納している。画像形成ユニット３２は、感光体ドラム，帯電器，露光器，現像器などを有しており、給紙カセット３１から供給される用紙に、画像データに応じたトナー像を転写する。定着器３３は、ローラによる加熱及び加圧によって、用紙上のトナー像を定着する。
【００１８】
トナー像が定着された用紙（記録済の用紙）は、一旦ステープル処理トレイ３５に送られて、ステープル処理機能が選択されていない場合には、ステープル処理トレイ３５で特別な処理が施されずに、１枚ずつ外部トレイ３４へ排出される。一方、ステープル処理機能が選択されている場合には、ステープル処理トレイ３５に送られた記録済の用紙は、前寄せ部材３５ａ及び幅寄せ部材３５ｂによって所定の位置に順次積層され、１回分の読取処理または受信処理における複数の記録済の用紙が積層された後に、その用紙束の一側端の一箇所または複数箇所がステープラ３６によってステープル綴じされる。ステープル綴じが完了した用紙束は外部トレイ３４へ排出される。
【００１９】
表示部４は、液晶表示装置またはＣＲＴディスプレイ等の表示装置であり、ファクシミリ複合装置２０の動作状態を表示したり、ユーザへ操作入力を促す画面を表示したり、送信すべく読み取った原稿の画像データ、他のファクシミリ装置またはＰＣから送信された画像データなどの表示を行う。
【００２０】
操作部５は、ファクシミリ複合装置２０を操作するために必要な文字キー，テンキー，短縮ダイヤルキー，ワンタッチダイヤルキー，各種のファンクションキーなどを備えている。操作部５は、ファンクションキーとして、ステープル処理機能の選択／非選択をユーザが設定するためのステープル選択キー５ａと、画像データに応じた画像の記録処理を途中で停止させるストップキー５ｂとを有する。ストップキー５ｂがユーザにて押された場合、ステープル選択キー５ａにてステープル処理機能が選択されているときには、ステープル処理は停止されるが記録処理は最後まで継続されるようになっており、一方、ステープル処理機能が選択されていないときには、記録処理が停止されるようになっている。なお、表示部４をタッチパネル方式とすることにより、操作部５の各種のキーの内の一部または全部を代用することも可能である。
【００２１】
符号化・復号化部６は、画像データを符号化圧縮すると共に、符号化圧縮されている画像データを復号する。ＲＯＭ７は、ファクシミリ複合装置２０の動作に必要な種々のソフトウェアのプログラムを予め格納している。ＲＡＭ８は、ＳＲＡＭまたはフラッシュメモリ等で構成され、ソフトウェアの実行時に発生する一時的なデータを記憶する。画像メモリ９は、ＤＲＡＭ等で構成され、原稿を読み取って符号化した画像データ、他のファクシミリ装置またはＰＣから受信して符号化した画像データなどを蓄積する。
【００２２】
モデム１０は、バス１３に接続されており、ファクシミリ通信が可能なファクシミリモデムから構成されている。また、モデム１０は、同様にバス１３に接続されたＮＣＵ１１と直接的に接続されている。ＮＣＵ１１は、公衆電話回線網（ＰＳＴＮ：Public Switched Telephone Network)との回線Ｌ１の閉結及び開放の動作を行うハードウェアであり、必要に応じてモデム１０をＰＳＴＮと接続する。そして、ファクシミリ複合装置２０は、ＰＳＴＮによって他のファクシミリ装置と接続されており、通常のファクシミリ通信が行えるようになっている。
【００２３】
ＰＣインタフェース部１２は、ＬＡＮ等の通信線Ｌ２を介して外部のＰＣに接続されており、ＰＣとの間でデータのやりとりを行う。そして、外部のＰＣで作成・編集された各種の画像データが通信線Ｌ２を介してファクシミリ複合装置２０（ＰＣインタフェース部１２）へ送信され、送信された画像データに応じた画像がファクシミリ複合装置２０（記録部３）にて用紙にプリントアウトされるようになっている。
【００２４】
本発明のファクシミリ複合装置２０は、回線Ｌ１を介してファクシミリ通信によって受信した画像データ、及び、通信線Ｌ２を介して外部のＰＣから受信した画像データに応じた画像を記録部３にて用紙に記録する。この際、ユーザによりステープル選択キー５ａにてステープル処理機能が選択されている場合、１回分の受信画像データに応じた記録済の用紙がステープル綴じされて外部トレイ３４へ排出される。
【００２５】
そして、このステープル処理機能を伴って記録処理を行っている間に、ユーザによりストップキー５ｂが押された場合には、その押された時点までステープル処理トレイ３５に溜められていた記録済の用紙がステープル綴じされることなく外部トレイ３４へ排出される。その後、１枚ずつの記録済の用紙を順次外部トレイ３４へ排出するステープル処理機能が非選択である記録処理を１回分の受信画像データの最後まで実行する。
【００２６】
なお、ステープル選択キー５ａの入力は、１回分の受信画像データの記録処理開始前での設定が有効であり、その記録処理開始後の設定は有効とならない。そして、記録処理開始後におけるステープル処理機能の停止は、ストップキー５ｂによって有効となる。
【００２７】
以下、動作について説明する。まず、ステープル処理機能の選択／非選択における記録処理について説明する。図３は、この記録処理の動作手順を示すフローチャートである。
【００２８】
受信した画像データの１ページ目に応じた画像を記録部３にて用紙に記録する（ステップＳ１）。制御部１は、ステープル処理機能が選択されているか否かを判断する（ステップＳ２）。ステープル処理機能が選択されていない場合には（Ｓ２：ＮＯ）、その記録済の用紙を外部トレイ３４へ排出して（ステップＳ７）、動作を終了する。
【００２９】
ステープル処理機能が選択されている場合（Ｓ２：ＹＥＳ）、その記録済の用紙を記録部３内のステープル処理トレイ３５へ排出して所定位置に載置する（ステップＳ３）。制御部１は、１回分の受信画像データの最終ページであるか否かを判断し（ステップＳ４）、最終ページでない場合には（Ｓ４：ＮＯ）、動作がＳ１に戻って、次のページの記録処理を行う。
【００３０】
１回分の受信画像データの最終ページである場合（Ｓ４：ＹＥＳ）、ステープル処理トレイ３５の所定位置に積層されている複数の記録済の用紙の一側端の一箇所または複数箇所をステープラ３６によってステープル綴じする（ステップＳ５）。ステープル綴じされた記録済の用紙束を外部トレイ３４へ排出して（ステップＳ６）、動作を終了する。
【００３１】
次に、ストップキー５ｂが押された場合の処理について説明する。図４は、この場合の動作手順を示すフローチャートである。
【００３２】
ストップキー５ｂが押されたことを検知した場合（ステップＳ１１：ＹＥＳ）、制御部１は、受信した画像データに応じた記録処理を実行中であるか否かを判断する（ステップＳ１２）。実行中でない場合には（Ｓ１２：ＮＯ）、何の処理も行わずに動作を終了する。記録処理を実行中である場合に（Ｓ１２：ＹＥＳ）、制御部１は、ステープル処理機能が選択されているか否かを判断する（ステップＳ１３）。
【００３３】
ステープル処理機能が選択されていない場合には（Ｓ１３：ＮＯ）、その後の記録処理を中断して（ステップＳ１４）、動作を終了する。ステープル処理機能が選択されている場合（Ｓ１３：ＹＥＳ）、ステープル処理機能をオフとした後（ステップＳ１５）、この時点でステープル処理トレイ３５に溜められている記録済の用紙を外部トレイ３４へ排出して（ステップＳ１６）、動作を終了する。
【００３４】
なお、このようにステープル処理機能が途中で停止された場合、ステープル処理機能がオフとなるため、記録処理は継続されて、残りの画像データに応じた画像の用紙への記録処理が行われて、記録済の用紙が１枚ずつ順次外部トレイ３４へ排出される。
【図面の簡単な説明】
【００３５】
【図１】本発明のファクシミリ複合装置の構成を示すブロック図である。
【図２】本発明のファクシミリ複合装置の記録部の構成を示す概略図である。
【図３】本発明のファクシミリ複合装置における記録処理の動作手順を示すフローチャートである。
【図４】本発明のファクシミリ複合装置においてストップキーが押された場合の動作手順を示すフローチャートである。
【符号の説明】
【００３６】
１  制御部
２  読取部
３  記録部
５  操作部
５ａ  ステープル選択キー
５ｂ  ストップキー
７  ＲＯＭ
１０  モデム
１１  ＮＣＵ
１２  ＰＣインタフェース部
２０  ファクシミリ複合装置
３４  外部トレイ
３５  ステープル処理トレイ
３６  ステープラ
【図１】
2005066932.tif 000003
【図２】
2005066932.tif 000004
【図３】
2005066932.tif 000005
【図４】
2005066932.tif 000006